(57)【特許請求の範囲】
【請求項１】
固定側本体に設けられた支持軸に回動可能に支持された可動部材と、
該可動部材の回動動作を制動するダンパー手段とを備え、前記可動部材により前記固定側本体を開閉するダンパー装置であって、
前記ダンパー手段は、前記固定側本体に固定される第１回転ダンパーと、前記支持軸に揺動可能に支持される第２回転ダンパーとを有し、
前記可動部材の回動動作に応じて前記第１回転ダンパーと前記第２回転ダンパーとが係合する状態と、該係合が外れた状態とが切り替えられることにより、前記可動部材に作用するダンパー力が変化することを特徴とするダンパー装置。
【請求項２】
請求項１に記載のダンパー装置において、前記可動部材が前記固定側本体を開閉するドア部材であることを特徴とするダンパー装置。
【請求項３】
請求項２に記載のダンパー装置において、前記固定側本体を開閉する前記ドア部材が閉位置にあるときには、前記第２回転ダンパーは、自重によって揺動可能な範囲の最下点に位置し、前記第１回転ダンパーと前記第２回転ダンパーとの係合が外れた状態になっていることを特徴とするダンパー装置。
【請求項４】
請求項３に記載のダンパー装置において、前記ドア部材は、前記第２回転ダンパーに常に係合するギア部を有し、前記ドア部材が閉位置から開位置に向かって回動する動作が行われた場合、前記ドア部材の回動に応じて前記ギア部が回動することにより、該ギア部に係合する前記第２回転ダンパーが前記最下点の位置から上方に揺動し、前記第２回転ダンパーと前記第１回転ダンパーとが係合することを特徴とするダンパー装置。
【請求項５】
請求項４に記載のダンパー装置において、前記第２回転ダンパーが上方に揺動している間は、前記第２回転ダンパーのダンパー力が前記ドア部に作用しないことを特徴とするダンパー装置。
【請求項６】
請求項４または５に記載のダンパー装置において、前記ドア部材が開位置から閉位置に向かって回動する動作が行われた場合、前記ドア部材の回動に応じて前記ギア部が回動し、該ギア部の回動により前記第２回転ダンパーが前記最下点で維持された状態で前記第２回転ダンパーによるダンパー力が前記ドア部に作用することを特徴とするダンパー装置。
【請求項７】
請求項２〜６のいずれか１に記載のダンパー装置において、該ダンパー手段は、前記第１回転ダンパーと前記第２回転ダンパーとの係合が切り替えられる構成を、前記ドア部材の幅方向の両端部にそれぞれ備えることを特徴とするダンパー装置。
【請求項８】
請求項１〜７のいずれか１に記載のダンパー装置において、前記第１及び第２回転ダンパーは、それぞれ容器部と該容器部に対して回動可能に支持されたダンパー歯車とを有し、前記容器部に封入した粘性流体の粘性抵抗によるダンパー力により前記ダンパー歯車の回動を制動するものであることを特徴とするダンパー装置。
【発明の詳細な説明】
【技術分野】
【０００１】
本発明は、ダンパー装置に関し、より詳細には、ＤＶＤプレイヤなどの電子機器のドア部の動作を制動するためのダンパー装置に関する。
【背景技術】
【０００２】
例えばＤＶＤプレイヤなどの電子機器において、その筐体前面側に開閉可能なドアが設けられている。通常ドアはその筐体下部に設けられた支持軸に対して回動可能に支持され、その回動動作によってドアの開閉が可能になっている。そしてドアを開くことによって、ユーザは各種の操作ボタン等にアクセスすることができる。
【０００３】
従来の一般的な構成では、ドアには回転ダンパーが取り付けられ、ユーザがドアを開閉する操作を行ったときに、回転ダンパーによりその開閉動作を制動するように構成されている。例えばユーザがドアを開けようとしてマグネットロックからドアを外したときに、回転ダンパーのダンパー力によってドアが自重でゆっくりと開くようになっている。これによりドアの回動動作の品位を高めるようにしている。
【０００４】
上記のようなダンパー装置に関し、例えば特許文献１には、複数の回転ダンパーを一列に並べて配置したダンパー装置が開示されている。ここでは一列に配置した複数のダンパーの歯車が互いに噛み合い、その１つの回転ダンパーの歯車と、可動部材のヒンジピンの歯車とが噛み合って、可動部材に対してダンパー力による制動力が付与されるように構成されている。
【特許文献１】特開２００２−１８１１０３号公報
【発明の開示】
【発明が解決しようとする課題】
【０００５】
ＤＶＤプレイヤ等の電子機器のドアは、通常はユーザによって開閉される。ドアは電子機器の本体に対して開閉可能に取り付けられていて、その閉位置でロックできるようにマグネットロックなどのロック機構が備えられる。マグネットロックは例えばドアの左右の両端部に取り付けられていて、閉まっているドアをユーザが開けるときには、そのマグネットロックが外れるようにドアを操作する必要がある。
【０００６】
そしてドアを開ける操作を行うときに、例えばユーザがドアの一方の端部を持ってドアを開こうとすると、マグネットロックが外れるときにドアが捻れて、他方の端部にあるマグネットロックが外れにくくなる場合がある。このとき左右の幅が大きいドアほど捻れが生じやすくなって、品位が低下するという問題が生じる。
【０００７】
また従来の回転ダンパーは、通常、静止状態から動き出す瞬間のダンパー力が大きく、動き出すとダンパー力が低下する。このため、ユーザがドアを開く瞬間には抵抗が大きく、ドアの捻れが発生しやすくなる。またユーザがドアを閉じる際にも、必要以上にダンパー力が高いとドアの捻れにつながる。
【０００８】
上記のようなドアの開閉動作においては、ドアが開くときにはゆっくりと開いた方が品位がよい。つまり回転ダンパーを使用した構成では、ドアが自重でゆっくりと開くようにダンパー力が適度に大きい方がよい。一方ドアを閉めるときには、ユーザがドアの開位置から閉位置まで手でドアを保持したまま操作するため、ダンパー力が大きいとドアの捻れが生じて品位を低下させる。
またドアの左右端部のうち一方の端部にのみ回転ダンパーが備えられている構成の場合には、回転ダンパーが備えられていない側の端部をユーザが持って開閉操作を行おうとするとさらにドアが捻れやすくなる。
【０００９】
つまり開閉可能なドアを備えた電子機器では、ドアを開けるときには比較的大きなダンパー力が作用してゆっくりとドアが開き、閉めるときには比較的小さなダンパー力でスムーズにドアが閉まるようにすることが品位を保つために必要となる。またドアが閉まっている状態から動き出す瞬間は、小さな力で動き出すことができるようにすることが望ましい。
従来のドアの開閉動作においては、回転ダンパーによるダンパー力は、ドアを開けるときと閉めるときで個別に調整することができず、また閉状態からドアが動き出すときにそのダンパー力を最適化できるものではなかった。特許文献１のダンパー装置においても同様であり、ドアの開閉時それぞれの動作時におけるダンパー力の調整が不可能であった。
【００１０】
本発明は、上述のごとき実情に鑑みてなされたもので、ダンパー力によりドアの回動動作を制動する機能を備えたダンパー装置において、ドアの動作の状態に応じてダンパー力を最適に調整することにより、高品位でかつ操作性の良好なダンパー装置を提供することを目的とするものである。
【課題を解決するための手段】
【００１１】
上記課題を解決するために、本発明の第１の技術手段は、固定側本体に設けられた支持軸に回動可能に支持された可動部材と、可動部材の回動動作を制動するダンパー手段とを備え、可動部材により固定側本体を開閉するダンパー装置であって、ダンパー手段は、固定側本体に固定される第１回転ダンパーと、支持軸に揺動可能に支持される第２回転ダンパーとを有し、可動部材の回動動作に応じて第１回転ダンパーと第２回転ダンパーとが係合する状態と、係合が外れた状態とが切り替えられることにより、可動部材に作用するダンパー力が変化することを特徴としたものである。
【００１２】
第２の技術手段は、第１の技術手段において、可動部材が固定側本体を開閉するドア部材であることを特徴としたものである。
【００１３】
第３の技術手段は、第２の技術手段において、固定側本体を開閉するドア部材が閉位置にあるときには、第２回転ダンパーは、自重によって揺動可能な範囲の最下点に位置し、第１回転ダンパーと第２回転ダンパーとの係合が外れた状態になっていることを特徴としたものである。
【００１４】
第４の技術手段は、第３の技術手段において、ドア部材は、第２回転ダンパーに常に係合するギア部を有し、ドア部材が閉位置から開位置に向かって回動する動作が行われた場合、ドア部材の回動に応じてギア部が回動することにより、ギア部に係合する第２回転ダンパーが最下点の位置から上方に揺動し、第２回転ダンパーと第１回転ダンパーとが係合することを特徴としたものである。
【００１５】
第５の技術手段は、第４の技術手段において、第２回転ダンパーが上方に揺動している間は、第２回転ダンパーのダンパー力がドア部に作用しないことを特徴としたものである。
【００１６】
第６の技術手段は、第４または第５の技術手段において、ドア部材が開位置から閉位置に向かって回動する動作が行われた場合、ドア部材の回動に応じてギア部が回動し、ギア部の回動により第２回転ダンパーが最下点で維持された状態で第２回転ダンパーによるダンパー力がドア部に作用することを特徴としたものである。
【００１７】
第７の技術手段は、第２〜６のいずれかの技術手段において、ダンパー手段は、第１回転ダンパーと第２回転ダンパーとの係合が切り替えられる構成を、ドア部材の幅方向の両端部にそれぞれ備えることを特徴としたものである。
【００１８】
第８の技術手段は、第１〜７のいずれかの技術手段において、第１及び第２回転ダンパーは、それぞれ容器部と容器部に対して回動可能に支持されたダンパー歯車とを有し、容器部に封入した粘性流体の粘性抵抗によるダンパー力によりダンパー歯車の回動を制動するものであることを特徴としたものである。
【発明の効果】
【００１９】
本発明によれば、ダンパー力によりドアの回動動作を制動する機能を備えたダンパー装置において、ドアの動作の状態に応じてダンパー力を最適に調整することにより、高品位でかつ操作性の良好なダンパー装置を提供することができる。
【発明を実施するための最良の形態】
【００２０】
図１は、本発明のダンパー装置を適用可能な電子機器の一例を示す図で、デジタル記録再生装置として構成された電子機器の外観斜示図を示すものである。図１に示す例のように、電子機器１０の前面側に開閉可能なドア（ドア部材）１が設けられている。ドア１は、電子機器１０の筐体２に対して回動可能に取り付けられていて、その回動動作によって開閉できるようになっている。ドア１は本発明の可動部材に該当し、電子機器の筐体２は本発明の固定側本体に該当する。
【００２１】
ドア１を閉状態から回動させて開状態にすると、ドアの内側に備えられているコネクタやディスク媒体用のトレイ等にアクセスできるようになっている。またドア１の左右の両端部に回転ダンパーが設けられている。ユーザは、ドア１を手で操作することにより、ドア１を開いたり閉じたりすることができる。
【００２２】
図２は、電子機器に適用した本発明に関わるダンパー装置の実施形態を示す図で、図２（Ａ）はダンパー装置を備えた電子機器の筐体要部の正面概略構成図、図２（Ｂ）は筐体要部の側断面の概略構成図である。
ダンパー装置は、第１回転ダンパー３と、第２回転ダンパー４との二つの回転ダンパーを有している。各回転ダンパー３，４は、固定側の容器部３１，４１と、各容器部３１，４１に対してそれぞれ回動可能に支持されたダンパー歯車３２，４２とを備えている。容器部３１，４１の内部には、グリスやオイル等の粘性流体が封入され、これにより各回転ダンパー３，４は、ダンパー歯車３２，４２の回転動作を制動する機能を有している。
【００２３】
図２（Ｂ）はドア１が開かれた状態を示している。ドア１は、支持軸１１により筐体２に支持され、支持軸１１を中心に回動可能となっている。またドア１には、第２回転ダンパー４のダンパー歯車３２に係合するギア部１２が設けられている。ギア部１２は、第２回転ダンパー４のダンパー歯車３２に対して常に係合している。
【００２４】
第１回転ダンパー３の容器部３１は、筐体２の前面壁２１に固定されている。また第２回転ダンパー４の容器部４１には連結部材５が取り付けられ、その連結部材５が支持軸１１に対して回動自在に取り付けられている。つまり連結部材５に取り付けられた第２回転ダンパー３は、支持軸１１に対して揺動可能に支持されている。
【００２５】
また筐体２の前面壁２１の上部には、ドア１が閉じられた状態を保持させるためのマグネットロック６が設けられている。マグネットロック６は、ドア１の左右２カ所に設けられ、ドア１を閉位置で保持できるようになっている。
また上記の第１回転ダンパー３と第２回転ダンパー４とによる構成は、ドア１の左右両端部に設けられ、これによりドア１に対するダンパー力を左右で均等に付与するようにしている。
【００２６】
本発明に係る実施形態では、第２回転ダンパー４がドア１の回動動作に従って揺動することにより、ドア１の回動動作に応じて第１回転ダンパー３と第２回転ダンパー４とが係合する状態と、その係合が外れた状態とを切り替えることができ、これによりドア１に対して作用するダンパー力をドアの回動動作に応じて最適に変化させることができる。以下にその機能を詳細に説明する。
図３は、本発明に係る実施形態における回転ダンパーの動作を説明するための図である。ドア１は、実線に示す位置でマグネットロック６に接触し保持される。この状態がドア１の閉位置である。
【００２７】
第２回転ダンパー４は連結部材５に固定され、連結部材５が支持軸１１を回動軸として自在に回動できるようになっている。これにより第２回転ダンパー４は、支持軸１１を中心にして揺動できるようになっている。そしてドア１が閉位置にあるとき、第２回転ダンパー４は自重で落下し、筐体２のストッパー２２に当接して実線で示す位置で維持される。この位置は、第２回転ダンパー４の揺動可能な範囲の最下点に相当する。
【００２８】
ここでドア１を開けると、第２回転ダンパー４がドア１の開閉動作とともに上方に揺動し、第２回転ダンパー４のダンパー歯車４２と、第１回転ダンパー３のダンパー歯車３２とが互いに係合し、図３の点線で示す位置に維持される。
【００２９】
この場合、ドア１が閉位置から動き出して点線の位置に到るまでの間は、ドア１の回動動作によってドア１のギア部１２が回動し、そのギア部１２に係合するダンパー歯車４２に与えられる応力によって第２回転ダンパー４自体が上方に揺動する。ここでは第２回転ダンパー４のダンパー歯車４２が容器部４１に対して回動することなく、第２回転ダンパー４の全体が連結部材５とともに上方に揺動する。従って、ドア１が閉位置から動き出した後、第２回転ダンパー４のダンパー歯車４２が第１回転ダンパー３のダンパー歯車３２に係合するまで（点線で示す位置まで）の間は、ドア１に作用するダンパー力はゼロとなり、ドア１の開け始めの操作を小さな力で簡単に行うことができるようになる。第２回転ダンパー４のダンパー力は、このような揺動動作が行われるように最適な値に設定される。
【００３０】
ここで更にドア１を開けて行くと、第２回転ダンパー４と第１回転ダンパー３とのダンパー歯車３２，４２がそれぞれの容器部３１，４１に対して回動し、これら二つの回転ダンパー３，４によるダンパー力が働く。これによりドア１は自重でゆっくりと開いていく。回転ダンパーは高速動作に対して抵抗が発生するため、ドア１の回動中は、第２回転ダンパー３は自重で落ちることはない。そしてドア１が完全に開いて停止すると、第２回転ダンパー３は自重で落下し、筐体２のストッパー２２に当接して図３の実線で示す位置で維持される。
【００３１】
ドア１が開いた状態から閉めていくと、第２回転ダンパー４にはストッパー２２に押し付けられる力が発生し、自重で落下したままの位置に維持される。ここでは第２回転ダンパー４のダンパー力のみがドア１に作用する。従って比較的小さな力でドア１を閉めることができる。
このように、本発明に係る実施形態によれば、ドア１を開けるときと閉めるときとでダンパー力を変化させることができ、かつドア１を開け始める瞬間はダンパー力をゼロにすることができる。これによりドア１を開けるときは、ダンパー力がゼロの状態で簡単にマグネットロックを外すことができ、その後自重でゆっくりとドア１が開き、ドア１を閉めるときには、軽い力で容易にドア１を閉めることができるようになる。これらにより、高品位でかつ操作性の良好なダンパー装置を提供することができる。
【００３２】
ここで第１回転ダンパー３と第２回転ダンパー４は、個別に最適なダンパー力のものを選択することができる。例えば第１回転ダンパーのダンパー力を第２回転ダンパーのダンパー力より大きくし、ドア１を開けるときには第１及び第２回転ダンパー３，４のダンパー力によりゆっくりとドア１が開くようにし、ドア１を閉めるときには第２回転ダンパー４の小さなダンパー力で、スムーズにドア１が動くようにすることができる。
【００３３】
図４〜図７は、ドアの開閉位置に応じたダンパー装置の動作を説明するための図である。ドア１が閉まっている状態は図４に示すごとくとなっている。図４（Ａ）に要部の側断面構成図を示し、図４（Ｂ）に要部の斜視図を示している。
この状態では、ドア１はマグネットロック６に接触して保持されている。また第２回転ダンパー４は自重で落下し、筐体２のストッパー２２に当接している。従って第１回転ダンパー３のダンパー歯車と、第２回転ダンパー４のダンパー歯車との係合が外れた状態になっている。
【００３４】
図５はドア１のマグネットロックが外されて、ドア１が自重で回動しているときの状態を示す図である。図４と同様に図５（Ａ）に要部の側断面構成図を示し、図５（Ｂ）に要部の斜視図を示している。
マグネットロックが外れたドア１が自重で回動していくと、第２回転ダンパー４が上方に揺動し、第２回転ダンパー４のダンパー歯車４２と、第１回転ダンパー３のダンパー歯車３２とが互いに係合する。そして第１回転ダンパー３と第２回転ダンパー４とのダンパー力によって、ドア１が自重でゆっくり開いていく。回転ダンパーは高速動作に対して抵抗が発生するため、ドア１の回動中は、第２回転ダンパー３は自重で落下することはない。
【００３５】
図６はドア１が完全に開いた状態を示す要部の側断面構成図である。ドア１が完全に開いて停止すると、第２回転ダンパー４は自重で落下し、筐体２のストッパー２２に当接する。これにより、第２回転ダンパー４のダンパー歯車と第２回転ダンパー４のダンパー歯車との係合が外れる。
【００３６】
図７は開いたドア１を閉めていくときの状態を示す要部の即断面構成図である。ドア１が開いた状態から閉めていくと、第２回転ダンパー４にはストッパー２２に押し付けられる力が発生し、自重で落下したままの位置に維持される。つまり第２回転ダンパー３のダンパー歯車と第２回転ダンパー４のダンパー歯車との係合が外れた状態が維持される。ここでは第２回転ダンパー４のダンパー力のみがドア１に作用するため比較的小さな力でドア１を閉めることができる。
【図面の簡単な説明】
【００３７】
【図１】本発明のダンパー装置を適用可能な電子機器の一例を示す図である。
【図２】電子機器に適用した本発明に関わるダンパー装置の実施形態を示す図である。
【図３】本発明に係る実施形態における回転ダンパーの動作を説明するための図である。
【図４】ドアの開閉位置に応じたダンパー装置の動作を説明するための図である。
【図５】ドアの開閉位置に応じたダンパー装置の動作を説明するための他の図である。
【図６】ドアの開閉位置に応じたダンパー装置の動作を説明するための更に他の図である。
【図７】ドアの開閉位置に応じたダンパー装置の動作を説明するための更に他の図である。
【符号の説明】
【００３８】
１…ドア、２…筐体、３…第１回転ダンパー、４…第２回転ダンパー、５…連結部材、６…マグネットロック、１０…電子機器、１１…支持軸、１２…ギア部、２１…前面壁、２２…ストッパー、３１…容器部、３２…ダンパー歯車、４１…容器部、４２…ダンパー歯車。
【図１】
0004897615.tif 000002
【図２】
0004897615.tif 000003
【図３】
0004897615.tif 000004
【図４】
0004897615.tif 000005
【図５】
0004897615.tif 000006
【図６】
0004897615.tif 000007
【図７】
0004897615.tif 000008